(57)【要約】  発明と一貫するシステムおよび方法を用いて、ユーザの望む審美性改善に関してユーザから情報を得、審美性改善の個々の提供者と相談して助言してもらい、助言された審美性改善処置を行い、審美性改善の成果を統合的かつ客観的な方法で査定することを含む審美性改善処置を、ユーザに提供する。【特許請求の範囲】
【請求項１】
審美性改善処置をユーザに提供する方法であって、
ユーザの望む審美性改善に関してユーザから情報を得ることと、
審美性改善の個々の提供者と相談して助言してもらうことと、
包括的な審美性改善計画を開発することと、
助言してもらった審美性改善処置を行うことと、
審美性改善の成果を統合的かつ客観的な方法で査定することと、
を備える方法。
【請求項２】
前記情報には質問が含まれている請求項１に記載の方法。
【請求項３】
前記審美性改善処置には、製品の助言、診断の助言、化粧使用の助言および処置の助言の少なくとも１つが含まれている請求項１または２に記載の方法。
【請求項４】
前記質問に対する答えを記録し、前記ユーザに追加の質問をするが、記録された答えを反映する情報が該追加の質問に組み入れられることをさらに備える請求項２に記載の方法。
【請求項５】
ユーザ専用の情報の維持が、前記情報の蓄積デバイスへの蓄積を含む請求項１に記載の方法。
【請求項６】
ユーザ専用の情報の維持が、前記情報が維持されている遠隔位置へのアクセスを含む請求項１に記載の方法。
【請求項７】
ユーザ専用の情報の受け取りに、前記質問に対する答えの記録が含まれる請求項２に記載の方法。
【請求項８】
前記審美性改善処置が、形成外科である請求項１に記載の方法。
【請求項９】
前記審美性改善処置が、美容皮膚科である請求項１に記載の方法。
【請求項１０】
前記審美性改善処置が、美容歯科である請求項１に記載の方法。
【請求項１１】
前記審美性改善処置が、ヘアスタイリングである請求項１に記載の方法。
【請求項１２】
前記審美性改善処置が、ヘアカラーリングである請求項１に記載の方法。
【請求項１３】
前記審美性改善処置が、フェイシャルエステティクスである請求項１に記載の方法。
【請求項１４】
前記審美性改善処置が、メイクアップ技術である請求項１に記載の方法。
【請求項１５】
前記審美性改善処置が、ファッションおよびアイウエアのコンサルテーションである請求項１に記載の方法。
【請求項１６】
前記審美性改善処置が、ネイルケアである請求項１に記載の方法。
【請求項１７】
一つ以上のツールを用いてユーザの外見を査定するステップを備える、審美性改善処置の成果をユーザに提供する方法。
【請求項１８】
前記一つ以上のツールが、前記審美性改善処置を行う前に用いられる請求項１７に記載の方法。
【請求項１９】
前記一つ以上のツールが、前記審美性改善処置を行った後に続いて用いられる請求項１７に記載の方法。
【請求項２０】
前記ツールが、接客係である請求項１７に記載の方法。
【請求項２１】
前記ツールが、コンサルテーションのプロセスである請求項１７に記載の方法。
【請求項２２】
前記ツールが、造作と関係のあるフリップチャートである請求項１７に記載の方法。
【請求項２３】
前記ツールが、診察室である請求項１７に記載の方法。
【請求項２４】
前記ツールが、診断医である請求項１７に記載の方法。
【請求項２５】
前記ツールが、自己認識アンケートである請求項１７に記載の方法。
【請求項２６】
前記ツールが、電子写真システムである請求項１７に記載の方法。
【請求項２７】
前記ツールが、電子イメージデータベースである請求項１７に記載の方法。
【請求項２８】
前記ツールが、電子イメージを変化させる電子システムである請求項１７に記載の方法。
【請求項２９】
前記ツールが、ユーザ満足度調査である請求項１７に記載の方法。
【請求項３０】
前記ツールが、美容分析システムである請求項１７に記載の方法。
【請求項３１】
前記ツールが、皺測定システムである請求項１７に記載の方法。
【請求項３２】
前記ツールが、歯の白さ測定システムである請求項１７に記載の方法。
【請求項３３】
前記ツールが、専門家パネル測定ツールである請求項１７に記載の方法。
【請求項３４】
前記ツールが、美容ブループリント報告である請求項１７に記載の方法。
【請求項３５】
前記ツールが、成果測定報告である請求項１７に記載の方法。
【請求項３６】
審美性改善処置の成果をユーザに提供する方法であって、
ユーザの審美性改善を管理する一人のシステムインテグレーターをユーザに提供することを備える方法。
【請求項３７】
前記一人のシステムインテグレーターは、接客係である請求項３６に記載の方法。
【請求項３８】
ユーザに対して行われる一つ以上の審美性改善処置の成果を測定する方法であって、
一つ以上の審美性改善処置の結果を客観的に測定して、一つ以上の審美性改善処置の成果を判定することを備える方法。
【請求項３９】
前記成果が、回顧的に判断される成果である請求項３８に記載の方法。
【請求項４０】
前記成果が、先を見越してまたは予測して判断される成果である請求項３８に記載の方法。
【請求項４１】
前記回顧的に判断される成果は、一つ以上の審美性改善処置を行った後のユーザの外見を、一つ以上の審美性改善処置を行う前のユーザの外見と比べることによって判断される請求項３９に記載の方法。
【請求項４２】
前記回顧的に判断される成果は、一つ以上のユーザ外見査定ツールを用いることによって判断される請求項４１に記載の方法。
【請求項４３】
前記先を見越して判断される成果は、特定のまたは実質的に類似する審美性改善処置を受けた先のユーザの外見改善データに基づくものである請求項４０に記載の方法。
【請求項４４】
審美性改善処置の成果をユーザに提供する方法であって、
該審美性改善処置を行うことと、
該審美性改善処置のステップ毎の実行を記録することと、
該審美性改善処置の結果を査定することと、
該審美性改善処置の結果をデータベースに編集することと、
編集された結果を調べることと、
該審美性改善処置を繰り返すことと、
を備える方法。
【請求項４５】
前記審美性改善処置が、二度以上繰り返される請求項４４に記載の方法。
【請求項４６】
前記審美性改善処置が、ボツリヌス菌毒の注射、軟組織充填剤の注入およびレーザー処理ならびにそれらの組み合わせからなるグループから選択される請求項４４に記載の方法。
【発明の詳細な説明】
【技術分野】
【０００１】
（１．発明の分野）
本発明は、一般に、ユーザの外見の審美性（例えば、ユーザの顔および体の美しさまたは魅力のレベルまたは度合い）を測定および改善するシステムおよび方法に関するものである。
【背景技術】
【０００２】
（２．従来技術の説明）
現在開業して行われている実務のもとでは、肉体的な外見を改善したいと望むユーザは、断片的かつ段階的な方法でしか、そうすることができない。現在開業して行われている実務には、自分の専門分野のみにおいて審美性改善サービスを提供でき、審美性の世界における他の（高度に相互依存する）領域の知識をほとんどまたは全く持ち合わせていない特定（外見改善）領域の提供者（例えば、ヘアスタイリスト、ヘアカラーリスト、メイクアップアーティスト、エステティシャン、形成外科医、美容皮膚科医および美容歯科医）が携わっており、そのような提供者は、統合的な計画を提供できないし、ユーザの外見の改善を最適化する能力も無い。例えば、ユーザが、自分の肉体的な外見を最大限に良くする最適な方法を理解したいならば、なかんずく、形成外科医、ヘアスタイリスト、ネイルテクニシャンおよびメイクアップ−アーティストと相談することが必要となる。これらの提供者は、各自、自分たちの専門分野の内および外の双方で、そのユーザがどのように見えるべきであるかについて、全体像の異なったものを有するように思われる。結果として、ユーザは、これらの異なった考えの各々を解釈しなければならない事態に直面する。
【０００３】
さらには、現在の開業の現場では、ユーザと外見を改善する提供者は、主観的な方法でしか審美性改善の処置の結果を査定できない。換言すれば、ユーザの外見を改善するためにすべきことを査定するプロセスが推し進められるのは、ユーザよりもむしろ提供者によってである。要するに、現在開業して行われている実務は、断片的、主観的であって、提供者のほうが推し進めている。
【０００４】
加えて、現在開業して行われている実務では、美容皮膚科の処置を、必要な、標準化された情報を用いて行なっておらず、提供者が作り出そうとする処置および／または審美性改善結果を評価したり繰り返したりできない。
【発明の開示】
【発明が解決しようとする課題】
【０００５】
従って、外見の改善の客観性、すなわち、「測定性」を提供し、かつ異種の領域を統合する全身的な解決策を提供する、ユーザの審美性改善の実務について新しいビジネスモデルを特に開発する必要がある。
【課題を解決するための手段】
【０００６】
（発明の概要）
本発明の観点によると、ユーザに審美性改善処置を提供する方法が提供され、その方法は、ユーザの望む審美性改善に関してユーザから情報を得、審美性改善の個別の提供者と相談して助言を得、包括的な審美性改善計画を開発し、助言された審美性改善処置を実行し、審美性改善結果を統合的かつ客観的な方法で査定するステップを備える。
【０００７】
本発明の観点によると、ユーザおよび審美性改善の提供者に、審美性改善処置を行った結果得られる改善の度合いを測定する、客観的または標準化されたベースが提供される。
【０００８】
本発明の別の観点によると、ユーザの外見を査定する一つ以上のツールを用いて、審美性改善処置に対する結果の査定をユーザに提供する方法が提供される。
【０００９】
本発明の観点によると、ユーザの審美性改善を管理するただ一人のシステムインテグレーターをユーザに提供するステップを備える、審美性改善処置をユーザに提供する方法が提供される。
【００１０】
本発明の観点によると、美容皮膚科の処置の結果および繰り返し性の査定を改善する方法が提供される。
【００１１】
この明細書に組み込まれてその一部となる添付した図面は、本発明を例示し、かつ詳細な説明と共に本発明の原理を説明するのに役立つ。
【実施例１】
【００１２】
（代表的な実施例の説明）
本発明を詳細に参照するが、その例が添付した図面に示されている。
【００１３】
ユーザおよび審美性改善サービスの提供者の双方において、個人の肉体的な外見の査定は、客観的、すなわち、測定可能なデータによって定量化できるというよりもむしろ主観的、すなわち、見るものの目によるという信条がある。本発明の代表的な実施例において、客観的な基準によって審美性改善を評価するプロセスが提供される。この実施例は、「美」の評価を、主観性の範囲からより客観性に向けて動かすのに役立ち、かつユーザの処置前の外見と、一つ以上の審美性改善処置の後のユーザの外見の改善の双方を定量化できるように評価することが可能となる。
【００１４】
ここで用いられるとおり、「審美性改善」または「審美性改善処置」という語は、ユーザの顔と体の外見の改善に貢献する九つの主要な領域、すなわち、以下のものの影響、係わり合いおよび統合を意味する。
１．審美性の問題（例えば、魅力の無い顔または体の造作）を取り除き、変えまたは影響を与える、あるいは肌の質を向上させ、または現存する顔または体の造作を高める、顔および体の改善のための形成外科、
２．審美性の問題（例えば、魅力の無い顔または体の造作）を取り除き、変えまたは影響を与える、あるいは肌の質を向上させ、または現存する顔または体の造作を高める、肌に関する改善のための美容皮膚科、
３．ユーザの歯の色、構造および対称性に焦点を当てる、笑顔に関する改善のための美容歯科、
４．ユーザの顔および体の形や色と関係するようなユーザのヘアスタイル（特に、形、長さおよび巻き具合／伸び具合の度合）の改善のためのヘアスタイリング、
５．ユーザのヘアカラーの変化または改善のための（特に、年齢に関係する白髪をカバーし、色の変化で顔の外見を向上させ、またはユーザの全体的な顔の外見を向上させるハイライトを用いる）ヘアカラーリング、
６．非医療的な、顔と関係する問題の改善、例えば眉毛の形付け、顔の毛の除去および吹き出物の除去のためのフェイシャルエステティック、
７．審美性の問題（例えば、魅力の無い顔または体の特徴）を取り除くか、変えるか、影響を与えるかし、又はファンデーション、マスカラ、リップスティックその他の形状のメイクアップを最も有効に使用／適用して、現在の顔または体の造作を高める、顔および体の改善のためのメイクアップ技術、
８．ユーザの特定の（肌、目またはヘアの）カラーリングおよび体と顔の形について衣類およびアイウエアの理想的な材料、色および形を選択することによってユーザの外見を最適化する、ファッションおよびアイウエアのコンサルテーション、
９．ユーザの手と足の爪の長さ調整、カット、形付けおよび色付けによって、ユーザの足と手の外見を最適化するネイルケア。
【００１５】
本発明の観点によって、ユーザは、一つ以上の特定の審美性改善処置の結果を客観的に測定できるものとなる。本発明の代表的な実施例によって、成果、すなわち審美性改善処置の結果を測定する一つ以上の方法が提供される。
【００１６】
ここで用いられているとおり、「ユーザ」という語は、自分の顔、体またはその双方に一つ以上の審美性改善処置を行ってもらうことに興味のある個人を言及する。「ユーザ」という語がまた、一つ以上の審美性改善処置を受ける個人を言及することも意図されている。ここでは、「ユーザ」と「消費者」という語は、互いに置き換えが可能なように用いられている。
【００１７】
ここで用いられているとおり、「成果」という語は、二つの区分に分割できる。第一は、回顧的な成果であって、完成した審美性改善処置の結果としてユーザにその特定の成果を知らせることを意味する。第二は、予想できる／期待される成果であって、自分たちに行われる処置に先立って、個別にかつ具体的に予期できる成果をユーザに知らせることを意味する。
【００１８】
本発明の実施例によって、審美性改善処置の成果を回顧的に測定する方法が提供され、一つ以上の審美性改善処置がユーザに対して行われ、続いて、一つ以上の処置を行った後のユーザの外見と、処置を行う前のユーザの外見とを比較する。一つ以上の審美性改善処置を行う前と行った後の双方のユーザの外見が、一つ以上のユーザ外見査定ツールを使って査定される。
【００１９】
本発明の別の実施例によって、審美性改善処置の成果を予想して測定する方法が提供され、一つ以上の審美性改善処置を受けることを望んでいるユーザが、接客係および診断者から一つ以上の相談を受け、それに続いて一つ以上の審美性改善処置がユーザに助言される。ユーザにはさらに、ユーザに助言された特定の審美性改善処置について予測される外見の成果が提供される。この予測される成果は、特定の、または現在のユーザが望むのと実質的に同様の処置を受けた先のユーザについて集められ、母集団の成果データベースに蓄積される外見改善データに基づく。
【００２０】
本発明の代表的な実施例によって、審美性改善の市場に、成果を測定する客観的かつ標準化された枠組みが提供される。本発明の別の観点によると、審美性改善処置を施す前、その間およびそれに続く、ユーザに対する快適性、安全性および安心感のレベルを、現在開業の市場の実務と比べて向上させる。
【００２１】
本発明の別の観点によると、治療処置を「記録する」ことによって、美容皮膚科の処置の一貫性が改善され、それに続く治療処置を繰り返し、改善することができる。現在歯科学の分野において用いられている慣行に種類の類似する慣行を用いることによって、望まれる繰り返し性および一貫性が得られる。例えば、ボツリヌス菌毒素の注射（ＢＯＴＯＸ（登録商標））、軟組織充填剤およびレーザー処理が含まれるが、それらに限定されるものではない、消費可能な審美性のサービスの場合、ある主要なプロトコル領域が続けて行われ、それによって、ユーザの審美性改善結果の一貫性および予測性の度合が最適なものとなる。
【００２２】
本発明の観点によって、データベースに編集されている先の結果／成果に基づいて、皮膚科の処置の成果を予測することが可能となる。
本発明の代表的な実施例によって、ユーザの審美性改善を営み、監視する一人のシステムインテグレーター、すなわち「接客係」を用いる解決プラットフォームを用いて、様々な審美性改善領域が統合される。
【００２３】
本発明を用いて、ユーザが自分の顔または体の審美性を改善する手助けとする。すなわち、ユーザ専用の情報に基づいて、本発明によって、美容向上処置の助言又は利用可能な一つ以上の審美性改善領域といった、審美性改善のアドバイスがユーザに提供される。助言される処置は、（物理学的、生理学的、心理学的、生物学的および／または審美的に）相互に補足し合う。補足的な処置の助言は、特定の審美性改善処置の選択と関係があるだけでなく、ユーザの個人的な性格とも関係する。それで、例えば、美容皮膚科、顔の肌のトーン、ヘアカラーおよびアイカラーの選択に基づいて、発明と一貫する方法によって、助言されるレベル又は種類のメイクアップ技術が特定される。九つの外見改善領域には、形成外科、美容皮膚科、美容歯科、ヘアスタイリング、ヘアカラーリング、フェイシャルエステティクス、メイクアップ技術、ファッションおよびアイウエアコンサルテーションおよびネイルケアが含まれており、しかしそれらに限定されるものではない。
【００２４】
本発明の実施例において、ユーザの顔および体の造作の一つ以上および行うことを望む審美性改善に関して、ユーザ（１００）から情報が受け取られる。ユーザ専用の情報の受け取りは、ネットワーク、口頭のコミュニケーション、視覚を用いるコミュニケーション、文書でのコミュニケーション、物理的なデータの運搬体および／またはその他の情報伝達を可能とする手段の一つ以上を用いて行われる。
【００２５】
ユーザ専用の情報は、個人情報、ユーザの求める改善の特定などのカテゴリーに整理される。個人情報には、人口統計、肌と体の条件（例えば、肌のタイプ、肌の組織、肌のトーン、皺、ヘアカラー、ヘアスタイル、ヘアコンディション、アイカラー等）、年齢、顔の造作、購買履歴、化粧色、アレルギー情報、気候情報、生活様式情報、製品の好み、ファッションの好み、以前の購入および以前に示された興味等が含まれる。「ユーザ専用の情報」という語は、必ずしも特定のユーザに関するものでは無いということに注意すべきである。この点について、本件の書面では、ユーザ専用の情報という語と置き換え可能に対象専用の情報という語を用いており、いずれの語も、特定の活動に従事する特定の個人に必ずしも縛られるものではない。
【００２６】
本発明と一貫して、方法には、ユーザ専用の情報と審美性改善のアドバイスとのカテゴリー間の関係を反映する情報を含むデータベースにアクセスすることも含まれている。そのようなデータベースにアクセスする目的は、ユーザ専用の情報と特定のユーザの求めるアドバイスとの間の関係の基礎を確認することである。
【００２７】
本発明の実施例において、ユーザの外見を査定するのに、ユーザ外見査定ツールを一つ以上用いる。これらのツールには、審美性改善を求めるユーザにとって唯一の接触点として働く接客係、統合されたコンサルテーションプロセス、造作と関係のあるフリップチャート、診察室、診断医、自己認識アンケート、電子写真システム、電子イメージデータベース、電子イメージモーフィング用電子システム、ユーザ満足度調査、美容分析システム、皺測定システム、歯の白さ測定システム、専門家パネル測定ツール、美容ブループリント報告および成果測定報告が含まれているが、これらに限定されるものではない。
【００２８】
本発明のある実施例において、ユーザ外見査定ツールの一つ以上は、審美性改善処置の一つ以上を行う前にユーザに同意してもらうかユーザに対して行われるかする。本発明のある観点において、最初のユーザ外見査定は、どの審美性改善処置が行われるよりも前に行われる。
【００２９】
本発明の他の実施例において、ユーザ外見査定ツールの一つ以上は、審美性改善処置の一つ以上を行った後にユーザに同意してもらうかユーザに対して行われるかする。本発明のある観点において、ユーザ外見査定は、一つの審美性改善処置が完了して別のものが始まる前に行われる。本発明の別の観点において、最終的なユーザ外見査定は、ユーザに助言されるおよび／またはユーザの望む全ての審美性改善処置を行った後に行われる。
【００３０】
本発明の実施例によって、ユーザには、「接客係」すなわちユーザの審美性改善を推し進め、監督する一人のシステムインテグレーターが提供される。例えば、ユーザは、接客係と会うが、この人は、審美性改善のプロセスの間ユーザと主に接触する訓練を受け、ユーザの外見に関係する問題、関心および必要性を特定するユーザ専用の情報を提供する専門家である。このプロセスによって、ユーザの観点からはっきりと記述される、ユーザに必要な審美性の全て（ヘア、目、唇、顔全体、肌全体、脚、お尻、胸、腕、脚、お腹／腹筋、首／背中）が、結果的に特定される。これに続いて、ユーザが特定する領域の各々、およびそれらをどのように結び付けてユーザの全体的な外見に影響させるかについて、ユーザと接客係の詳細な話し合い又はコンサルテーションが行われる。
【００３１】
本発明と一貫する方法によって、包括的な審美性の診断分析が提供される。本発明のある観点において、審美性の診断分析には、肌の質の査定、顔立ちの対称性（歯の対称性を含む）および歯の色質が含まれるが、それらに限定されるものではない。統合的な提供者の分析と見直しの会合を、接客係が、関係する審美性の提供者全員（形成外科医、美容皮膚科医、美容歯科医、ヘアスタイリスト、ヘアカラーリスト、メイクアップアーティストおよびファッション／イメージコンサルタント）と行って、診断分析の間に集められたデータを見直す。ここで、接客係は、ユーザの審美性の査定のための中央分配および集約代理人として働き、また提供者は、ユーザの望む審美性改善プロセスを入力して折り合いをつける。
【００３２】
本発明の実施例において、造作と関係のあるフリップチャートを用いて、ユーザが自分の必要性と関心を特定できるものとする。そのチャートは、顔と体の造作の写真を用いていて、ユーザの抱える問題や関心を、特定の顔と体の造作で記述する。
【００３３】
本発明によって提供されるのは、ユーザが以下の一つ以上に選択的に参加できる診察室であって、ユーザは、診断医と会い、自己認識アンケートに記入し、電子写真を撮り、美容分析システムを用いて美容の分析を受け、皺測定システムを用いて皺測定分析を受け、歯の白さ測定システムを用いて歯の白さの分析を受ける。診断医は、上で特定した行動の一つ以上についてユーザを手助けする訓練を受けた専門家である。本発明のある観点において、接客係もまた診断医の役割を満たす。
【００３４】
本発明によると、接客係は、個々の審美性改善提供者との最初のコンサルテーションに従事する。これらの提供者には、形成外科医、美容皮膚科医、美容歯科医、ヘアスタイリスト、ヘアカラーリスト、フェイシャルエステティシャン、メイクアップアーティスト、ファッションおよびアイウエアのコンサルタントおよびネイルケアの専門家が含まれるが、それらに限定されるものではない。提供者は、自分たちの領域内のいずれの処置がユーザに対して最大限の外見改善の影響を及ぼすかを査定するために得られた診断データを用いる。接客係と審美性改善提供者との間の最初のコンサルテーションに続いて、接客係とユーザは、審美性改善をユーザに提供する適切な審美性改善提供者を選ぶ。
【００３５】
提供者から個々の入力を得た後、接客係は、関係する全ての提供者との第二のコンサルテーションに従事し、全体を最適化するためにユーザの求める改善を統合する。第二のコンサルテーションの主な目的は、複数の提供者が助言する個々の改善が相互に共存でき、ユーザにとって有害な結果を生み出さないものであることを確認することによって、ユーザの審美性改善を全体的に最適化することにある。例えば、形成外科医の助言する特定の改善、例えば、それ自体でユーザに審美性改善を提供する、鼻を小さくする処置は、アイウエアのコンサルタントの助言する改善との関連で相容れないものであり、すなわち、アイウエアの選択が、鼻を低くする処置の後のユーザの鼻の形と相容れなかったりする。
【００３６】
関係する審美性改善提供者との第二のコンサルテーションに続いて、接客係は、ユーザのために詳細な審美性改善計画を開発し、それには、最大限の改善、最小限の費用、最小限の切開、最大限の快適性および最大限の便宜を優先することによって、適切な順序で、提案される治療処置／改善処置の全てが記述されている。
【００３７】
本発明の実施例において用いられる電子写真システムの一例は、キャンフィールドシステム（ｗｗｗ．ｃａｎｆｉｅｌｄｓｃｉ．ｃｏｍ）であるが、キャンフィールドシステムの代わりに、他の交換可能なシステム又は方法が用いられても良い。電子写真システムによって、ユーザの顔と体の「前」と「後」のイメージを標準化し、審美性改善の処置によって生じる、目に見える変化を査定することが容易となる。ある実施例において、審美性改善処置がユーザにもたらす変化が考慮できるように、ユーザの電子写真が変形（モーフィング）される。電子写真システムを用いて生成されるイメージは、データベースに蓄積され、整理され、そして分類されるので、ユーザの「前」のイメージが、同様の審美性改善を受けた一人以上の先のユーザの「前」のイメージと比較されるというレベルで標準化が可能となる。また、電子写真データベースによって、ユーザの「後」のイメージを、同一または十分に類似する審美性の向上を受けた一人以上の先のユーザの「後」のイメージと比較することが可能となる。この能力によって、診断医は、潜在的なユーザが、一つ以上の審美性改善処置を施す前と施した後の、先のユーザの実際のイメージを見ることができるように、モーフィングソフトウエアを操作するプロセスを進めることができる。この方法論は、先のユーザに対して行われた実際のケースを反映しない、伝統的な、理想のイメージを使用するものとは異なっている。
【００３８】
本発明の実施例によって、ユーザには、一つ以上の審美性改善処置を行う前および行った後の、体のイメージの自己評価および満足度を測定するユーザ満足度調査および標準化された個人的な意見に関する調査を完結する機会が提供される。これらの二つの調査ツールによって、診断医は、ユーザの顔と体の特定の造作について、ユーザの満足度および不満度を測定することができる。調査ツールによって、さらに（ｉ）診断医は、調査へのユーザの応答に基づいて、ユーザに一つ以上の審美性改善処置を助言することができ、かつ（ｉｉ）企業に、自分たちの処置から、特定の満足度成果が測定できるということを提供する。
【００３９】
本発明の他の実施例において、ユーザ満足度調査はまた、一つ以上の審美性改善処置を行った後に行われる。処置後の調査によって、診断医が、ユーザに施された審美性改善処置の結果についてのユーザの満足度および不満度を査定することが可能となる。
【００４０】
本発明の実施例において用いられる美容分析システムの一例は、マルクワルト（Ｍａｒｑｕａｒｄｔ）システムであるが、マルクワルトシステムの代わりに他のシステム又は方法を用いても良い。米国特許第５，８６７，５８８号および米国特許第５，６５９，６２５号で、マルクワルト美容分析システムが開示され、特許請求されており、それらは、引用することで、ここに完全に組み入れられる。
【００４１】
本発明の実施例において用いられる皺測定システムの一例は、ドクター・ステファン・レンパール（Ｄｒ．Ｓｔｅｆａｎ  Ｌｅｍｐｅｒｌｅ）の開発したレンパールシステムである。しかしながら、レンパールシステムの代わりに、肌の皺の度合、肌の毛穴のサイズ、肌のＵＶによるダメージおよび肌のきめ細かさを測定するビシャ（Ｖｉｓｉａ）システムおよびキャンフィールド（Ｃａｎｆｉｅｌｄ）システムを含み、ただしそれらには限定されない他のシステム又は方法が用いられても良い。
【００４２】
本発明によって、専門家のパネル測定が、本発明の実施例で用いられても良い。このツールによって、客観的な測定スケールで、例えば、０〜５のスケールで一つ以上の処置を行った結果として、審美性改善の査定がユーザに提供され、それによって、個人および集団の双方のベースで標準化され、測定可能とされた成果が提供される。
【００４３】
本発明の実施例において、ユーザとの接点として働く少なくとも一人の接客係、および一人以上の審美性改善提供者が含まれる専門家のパネルが会合し、ユーザ専用の情報に基づいて、ユーザが利益を得るような種類の審美性改善処置を話し合う。
【００４４】
本発明の他の観点において、専門家のパネルおよび少なくとも一人の接客係が、ユーザのフィードバックと、処理後の満足度調査の結果に基づいて、一つ以上の審美性改善処置がユーザに対して行われた後の見直しプロセスに参加する。
【００４５】
実施例において、一つ以上の審美性改善処置をユーザに提供することおよび／または行うことが選択的に方法に含まれる。処置の施しは、「接客係」システム、すなわち、一人のシステムインテグレーターを使ってユーザの審美性改善を推し進め、調査する解決策プラットフォームを用いて行われる。
【００４６】
本発明による方法では、ユーザに審美性改善処置が助言される。本発明の実施例において、量的な改善の測定基準を集めるために、ユーザに処置後の審美性診断分析が行われる。加えて、自己報告のユーザ満足度データが得られ、行われた処置の結果として、審美性改善を査定し、把握し、定量化する審美性見直しパネルの成果と組み合わされる。
【００４７】
本発明の実施例によって、ユーザが、審美性の問題および必要性を、単一の解決策供給能力の一部として識別できるようになるが、それは、包括的かつ統合されていて、ユーザの推し進めるシステムによって促進される能力であって、そのシステムは、異種の、つながりの無い処置および発明を、ユーザのための単一／全体的な解決策へと寄せ合わせるものである。
【００４８】
本発明の実施例によって、一つ以上の審美性改善処置を行う前および行った後のユーザの外見を定量化し、かつ外見の改善の客観的な測定を提供する、測定基準データの量的なデータベースが提供される。これによって、美容の査定が、主観的な領域から客観的な領域へと動かされ、かつ一つ以上の審美性改善処置を行う前および行った後の、ユーザの外見を定量化できる査定が可能となる。
【００４９】
図１は、発明の方法と一貫する実施例を示す。この実施例によると、ユーザ（１００）は、接客係（１２０）、すなわち高度に訓練された専門家と出会い、統合されたコンサルテーションプロセス（１３０）に従事するものとなる。コンサルテーションプロセスの間、ユーザは、接客係に、自分の審美性改善の問題のことを知らせ、接客係は、ユーザに、包括的な方法で審美性改善領域の九つ全てを知らせる。例えば、接客係は、ユーザに、ヘアスタイリスト、ヘアカラーリスト、フェイシャルエステティシャン、メイクアップアーティストまたはファッションコンサルタントを使うというようなサロンと関係する審美性改善領域のこと、並びに形成外科、美容皮膚科または美容歯科のような医療と関係する審美性改善領域のことを別々に知らせることができる。コンサルテーションプロセス（１３０）に続いて、ユーザは、診察室（１４０）に移動して診断医（１１０）と会う。診察室は、医療、サロンまたはスパ施設の中に位置する、特別に設計され、装備された部屋であり、そこでユーザは、診断医（１１０）のもとで一つ以上のユーザ外見査定ツールを用いる。診断医は、自己認識アンケートに答え、ユーザの顔の電子写真を撮り、ユーザの顔の美容分析を行い、ユーザの顔の皺分析を行い、かつ歯の白さを測定するということを含み、ただしそれらには限定されない包括的な審美性診断分析（１５０）をユーザに対して行う。集められた診断データは、関係した審美性改善提供者（１６０）が見直すが、助言された審美性改善処置（１７０）とそれら相互の両立性に関して接客係とも相談をする。そして、助言される審美性改善計画の草案が作成される。そして、接客係がユーザ（１８０）と相談し、ユーザに、助言された審美性改善に関する情報、並びにユーザのために特にデザインされた審美性改善計画の草案を提供する。ステップ１６０、１７０および１８０が必要に応じて繰り返され、最終的に実施されるべき包括的な審美性改善計画が達成される。
【００５０】
図２は、本発明の実施例を例示しており、そこでは、ユーザ（１００）と接客係（１２０）との間のコンサルテーションプロセス（１３０）に、造作と関係のあるフリップチャート（２３０）の使用が含まれていて、ユーザの顔および体の造作の描写が、顔および体の造作の各々と関係する特定の問題についての説明と一緒に用いられている。例えば、考慮される造作の一つは、ユーザの笑顔（２４０）である。この造作について、考慮されるべき問題には、歯の色、歯の形、歯のサイズ、悪い歯並び、欠けている歯、均等でない笑顔、歯茎の問題および口臭が含まれているが、それらに限定されるものではない。考慮され得る別の造作は、ユーザの唇と口の領域（２５０）である。この造作について、考慮されるべき問題には、唇のサイズ、唇の形、笑い皺、皺、望ましくないヘア、口角、唇の色および肌のきめが含まれているが、それらに限定されるものではない。目の形、眉毛、あご先、あご、頬、鼻等のような他の顔の造作もチャートを用いて評価できる。加えて、胸、腕、腰、尻、太腿等のような体の特徴も、造作と関係のあるフリップチャートを用いて同様に評価することができる。
【００５１】
図３は、一つ以上のユーザ外見査定ツールを用いて、一つ以上の審美性改善処置を行う前か行った後に、ユーザの外見を査定する発明の実施例を示す。例示された実施例において、ユーザ（１００）は、特定のユーザ外見査定ツールを用いて、ユーザの外見を評価する診断医（１１０）と相談する。例示された実施例で使用されているユーザ外見査定ツールは、ユーザの、自分の顔、体および自己イメージの造作への満足度および不満度を測定するのに用いられる自己認識アンケート（３２０）と、「前」および「後」のユーザの写真を標準化することによって審美性改善処置で起こる、目で見える変化の査定を容易とする電子写真システム（３３０）と、ユーザの顔の造作の対称性を測定し、そして顔の造作の各々の理想的な対称性を（マスクの覆い隠しを用いて）「描画」して、関係する審美性改善提供者へのガイダンスを提供する美容分析システム（３４０）と、額、目、唇、耳領域および顎先におけるユーザの肌の皺の度合を目視で測る皺測定システム（３５０）と、ユーザの歯の白さのレベルを測定する歯の白さシステム（３６０）と、自己認識アンケート（３２０）に類似するが、一つ以上の審美性改善処置を行った後にユーザに提供される標準測定ツール（３７０）と、一つ以上の審美性改善処置を行う前および行った後の双方にユーザに提供され、かつ行われた診察査定の結果並びに審美性の専門家のパネルによる処置後の見直しを含む包括的美容ブループリント（３８０）である。電子写真システムのイメージは、審美性改善処置によってユーザ（３９０）に起こる変化を考慮すべく変形されて、包括的な視覚のデータベース（３９５）に蓄積される。
【００５２】
図４は、一つ以上の審美性改善処置の成果を回顧的に測定する方法をユーザに提供する発明の実施例を例示する。ユーザ（１００）が順番に受けるのは、一つ以上のユーザ外見査定ツールがユーザに適用されて、どの処置を行うよりも先にユーザ外見プロフィールを生成する、処理前のユーザ外見査定（４０５）と、ユーザが、接客係に自分の審美性改善の課題を知らせ、接客係が、ユーザに包括的な方法で審美性改善領域の九つ全てのことを知らせる、接客係コンサルテーション（１３０）と、自己認識アンケートに答え、ユーザの顔の電子写真を撮り、ユーザの顔の美容分析を行い、ユーザの顔の皺分析を行い、そして歯の白さの測定を行うことが含まれ、しかしながらそれらには限定されない、診断医が包括的な審美性診断をユーザに対して行う診察コンサルテーション（１５０）と、最後に、一つ以上の審美性改善処置（４３０）である。審美性が改善されたユーザ（４４０）は、一つ以上のユーザ外見診断ツールを用いて、ユーザ外見査定（４４５）を受ける。審美性が改善されたユーザのユーザ外見査定（４４５）は、最初のユーザ外見査定（４０５）と比較され（４５０）、ユーザには、回顧的結果分析（４５５）が提供される。
【００５３】
図５は、一つ以上の審美性改善処置の成果を予想して測定する方法をユーザに提供する本発明の実施例を例示する。ユーザ（１００）が順番に受けるのは、一つ以上のユーザ外見査定ツールがユーザに適用されて、いずれの処置を行うよりも先にユーザ外見プロフィールを生成する、前処置ユーザ外見査定（４０５）と、ユーザが自分の審美性改善の課題を接客係に知らせ、接客係がユーザに包括的な方法で審美性改善領域の九つ全てのことをユーザに知らせる接客係コンサルテーション（１３０）と、自己認識アンケートに答え、ユーザの顔の電子写真を撮り、ユーザの顔の美容分析を行い、ユーザの顔の皺分析を行い、そして歯の白さの測定を行うことが含まれていて、しかしながらそれらには限定されない、診断医が包括的な審美性診断をユーザに対して行う診察コンサルテーション（１５０）である。集められた審美性の診察データは、集団成果データベース（５３０）に現存するデータと相関する。データベース（５３０）には、ユーザ（１００）に対して行われたのと同じ又は十分に類似する、一つ以上の審美性改善処置を受けた先のユーザにおける改善の客観的測定／データが含まれている。ユーザの審美性診察データが、結果データベース（５３０）におけるデータと相関された後、予測されるユーザ外見査定が生成される（５３５）。予測されるユーザ外見査定に続いて、ユーザは、一つ以上の審美性改善処置（４３０）を受ける。処置後のユーザ（５５０）は、ユーザ外見査定（５５５）を受ける。審美性が改善されたユーザのユーザ外見査定（４４５）は、予測されたユーザ外見査定（５３５）と比較され、分析され（５４５）て、予測された成果（５３５）と実際の結果（４４５）との類似性が確認される。
【００５４】
図６は、美容皮膚科デリバリーサービスにおいて、繰り返しの可能な結果を生み出す手順を用いる本発明の実施例を例示する。ユーザ（１００）は、接客係（１３０）とのコンサルテーションに参加する。コンサルテーション（１３０）の間、接客係は、ユーザから、ユーザの医療履歴（６１０）に関係する情報を集める。加えて、ユーザ（１００）は、自己査定調査（６２０）を終わらせ、造作に関係のあるチャート（２３０）も終わらせる。ユーザの医療履歴（６１０）からの結果、自己査定調査（６２０）および造作と関係するチャート（２３０）は、顧客チャートまたはユーザチャート（６３０）に編集される。ユーザは、診察室（１４０）に移動し、そこで診断医は、美容分析（３４０）、皺測定（３５０）、電子イメージ作成および電子イメージの変形（３９０）を行う。電子イメージ作成ステップ（３９０）において、ユーザの標準化写真（例えば、キャンフィールド医療写真）が撮られる。皺測定ステップ（３５０）においては、ユーザが識別するターゲット領域について、ユーザの顔の皺の査定が行われる。美容分析ステップ（３４０）では、電子マスクが生成され、ユーザの顔の電子写真に重ねられる。治療処置のターゲット領域の区域マップ（例えば、ＢＯＴＯＸ（登録商標）注入および／または軟組織充填剤の施与）がユーザ（６４０）の電子写真に重ねられる。ユーザは、医師との処置前コンサルテーションを受ける。ユーザは、処置室（６５０）に移動する。医療の専門家が、区域（６４０）の重ねられたユーザの電子写真を見直し、かつデータを、施されるべき処置に従って電子写真の領域に入力する。医師は、区域の重ねられた写真であって、記録（６７０）から得られるデータに従って特定の処置（例えば、ＢＯＴＯＸ（登録商標）注入および／または軟組織充填剤の施与）を施す。ユーザの処置後評価（６８０）が行われる。その評価には、処置の施しに続く潜在的な有害反応の見直しが含まれている。
【００５５】
図７は、美容皮膚科の処置の一貫性および繰り返し性を示す発明の実施例を例示する。ユーザ（１００）は、図６において説明される方法に従って美容皮膚科の処置を受ける。その処置に続いて、時間が過ぎてから、ユーザは、引き続いての通院（７００）で戻ってくる。美容分析処置（３４０）、皺測定処置（３５０）および電子イメージ作成および電子イメージ変形（３９０）処置が、ユーザに対して行われる。加えて、ユーザの処置後評価データ（６８０）もまた見直される。全ての情報は、ユーザチャートまたは顧客チャート（６３０）において編集される。ユーザの引き続いての通院の間に集められる情報は、ユーザと処置を施した医師に結果の受け入れ可能性を確認するためのものである。結果がユーザおよび医師に受け入れ可能である（７１０）ならば、処置プロトコルが、ユーザの次の通院（７２０）の間に繰り返される。結果がユーザか医師かに受け入れ不可能である（７３０）ならば、処置プロトコルは、ユーザの次の通院（７４０）に先立って、またはその間に調整される。
【実施例２】
【００５６】
ユーザは、一つ以上の審美性改善処置を施してもらうことに興味がある。ユーザは、コンサルテーション（１３０）で接客係（１２０）を訪れ、疲れたように見える目、体重、鼻の大きさ、ヘアスタイル、および変色した歯を含み、ただしそれらに限定されない、いくつかの課題であって、彼女が扱って欲しいと思うものを共有する。接客係は、自己認識アンケートツール（３２０）、顔の電子写真ツール（３３０）、顔の美容分析ツール（３４０）、および顔の皺測定ツール（３５０）を含み、ただしそれらに限定されない、一つ以上のツールを用いて診察（１５０）を行う。ツールを用いて得られる診察データは、審美性改善処置の提供者（１６０）の一人以上に、接客係によって提供される。本件実施例においては、選択される提供者には、ヘアスタイリスト、ヘアカラーリスト、フェイシャルエステティシャン、メイクアップアーティスト、ファッションコンサルタント、形成外科医、美容皮膚科医および美容歯科医が含まれる。審美性改善の提供者は、接客係に、ユーザの顔と体の潜在的な改善領域についてフィードバック（１７０）を提供する。接客係は、ユーザに、診察の査定の結果を含む包括的報告と、現在のユーザに対して提案されたのと同じ処置について先のユーザが達成した結果を含む成果報告と、審美性改善の提供者（１８０）からのフィードバックを含む電子写真システムから得られる結果を提供する。この後者のステップによって、接客係は、提案された審美性改善処置の影響および処置を行うことに関する費用という指導的な見解を得ることが可能となる。
【００５７】
コンサルテーションの結果、ユーザは、以下の審美性改善処置を助言される。まぶたの手術、眉毛の形付け、ＢＯＴＯＸ（登録商標）処置、新しいメイクアップ、新しいヘアスタイル、新しいヘアカラー、歯をセラミックでラミネートし、また白くすること。審美性改善処置を遂行した後、ユーザは接客係に会って、ユーザが終わらせた満足度報告、顔の電子写真および皺分析を含む処置後の成果査定を得る。これに続いて、処置前と処置後のユーザ外見査定を比較し、審美性改善の度合を客観的な方法で判定する。
【実施例３】
【００５８】
本発明の代表的な実施例が、二人のユーザＡおよびＢについて行われる。調査ツールによって、ユーザの、自分の外見（外見上の重要性）についての位置付け、自分の外見の自己評価および自分の外見の満足度が測定される。調査ツールは、ユーザの反応を測定する１〜５のスケールを特徴とする。
【００５９】
美容分析ツールは、ユーザの審美性の外見の動きを始めから終りまで測定する手段として、審美性改善処置を行う前および行った後にユーザＡおよびＢに適用される。マルクワルトシステムの下では、測定の基礎はファイファクター比であり、それは美容および対称性を測定する周知の数学的ツールである。このシステムの下では、造作の完全性は、１０００点スケールを用いて標準化され、ここで１０００が顔の造作が完全に左右対称であることに等しい（個々の造作並びに全ての造作を一緒にしたものを含む）。ユーザＡの場合、審美性改善処置を行う前のマルクワルトデータは、可能である１０００のうちの５０５である。同じものについて処置後の値は８３５であり、すなわち、３３０点または３９．５％の向上である。ユーザＢの場合、処置前の値は６００であり、処置後の値は７８５であり、すなわち、１８５点または２３．５％の向上である。
【００６０】
０乃至５の査定スケールを有する皺測定ツールが、ユーザＡおよびＢに適用される。審美性改善処置を行うのに先立って、ユーザＢの皺測定（レンパールデータ）は、額の領域について「４」であり、首の領域について「５」である。審美性改善処置を行った後、ユーザＢの額についてのレンパールスコアは「２」であり、ユーザの首についての値は「３」である。テストされた二つの領域についての全体的な向上は４５％である。
【００６１】
接客係、形成外科医、美容皮膚科医、美容歯科医、ヘアスタイリスト、ヘアカラーリスト、メイクアップアーティスト、ファッションコンサルタント、エステティシャンおよび美容雑誌編集者を含む専門家パネルが召集される。パネルは、成果調査ツールを見直して完成させる。成果調査ツールは、０乃至５のスケールで測定される。
【００６２】
ユーザＡおよびＢについての本発明の代表的な実施例を適用した結果が以下にまとめられている。
【００６３】
【表１】
2007517337.tif 000002
【実施例４】
【００６４】
図６および７による発明の代表的な実施例が、女性のユーザに対して行われる。ユーザ（１００）は、接客係との審美性接客係コンサルテーション（１３０）を受ける。ユーザの医療履歴（６１０）が集められ、審美性造作と関係のあるチャート情報（２３０）が集められ、そして自己申告の顧客査定データ（６２０）が集められる。接客係は、集められた情報をユーザのチャート（６３０）に入れる。ユーザは、彼女の額の皺を減らすためのＢＯＴＯＸ（登録商標）の注射および彼女の上唇を膨らませるための軟組織充填剤に興味を示す。ユーザは、診察室（１４０）に入って審美性の診断医に会う。マルクワルト美容分析システム（３４０）で用いるために、１８％下を向いた角度での落ち着いた正面写真を含む標準キャンフィールド医療写真（３９０）を撮影する。ユーザが、ＢＯＴＯＸ（登録商標）および／または軟組織充填剤で処置してもらいたいと望むターゲット領域にレンパール皺測定システム（３５０）が行われる。分析によって、特定のターゲット領域における皺のレベルが明らかになる。マルクワルト美容分析システム（３４０）が行われて、ユーザの顔の正面の電子写真に電子マスクが重ねられる。電子マスクによって、ユーザの造作、例えばユーザの上唇がユーザの顔の残りの部分に対して理想的な配分であるかどうかの査定が可能となる。ＢＯＴＯＸ（登録商標）注射と軟組織充填剤についてのターゲットの領域の「ゾーンマップ」が、診断医によってユーザの電子写真上に重ねられる（６４０）。診断医は、ユーザのチャート（６３０）の情報を書き留める。
【００６５】
ユーザは、医師に、美容皮膚科医、形成外科医または美容歯科医とコンサルテーションを行ってもらう。医師は、ユーザの処置前評価を行う。医師は、顧客が、眉間および目の領域においてＢＯＴＯＸ（登録商標）を、並びに上の領域において軟組織充填剤を施せる人かどうか結論を出す。医師は、前述の情報をユーザのチャート（６３０）に入れる。
【００６６】
ユーザは、処置室（６５０）に案内される。ユーザは、医療エステティシャンから「処置前」リラクゼーション処置を受ける。ユーザがリラクゼーション処置を受けている間、医療助手および医師は、「ゾーンマップ」が重ねられた電子写真（６４０）を見直し、施術される処置のコースについて協議する。医師は、ＢＯＴＯＸ（登録商標）および軟組織充填剤処置を施術し、また医療助手は、各ゾーンに施術されるＢＯＴＯＸ（登録商標）および充填剤の特定のゾーンへの配置および濃度を記録する（６７０）。処置に続いて、ユーザは処置後評価（６８０）を受ける。
【００６７】
特定の時間の後、ユーザは、引き続いての通院で戻ってくる（７００）。その引き続いての通院の間、ユーザは接客係の面接を受けて処置に対するユーザの満足度を計る。ユーザは、キャンフィールドシステム（３９０）を用いて再度写真を撮られる。美容分析システム（３４０）が施術され、処置の効果を観察し、ユーザの「前」および「後」のイメージを比較できるようにする。また皺の査定（３５０）も行われて、ターゲット領域における皺の低減を計る。医師は、ユーザに会って、処置後評価（６８０）を行う。その評価には、潜在的に不利益な反応の見直しが含まれている。評価には、ユーザの顔の少なくとも３つの写真の見直しが含まれており、すなわち、皺および上唇組織の補充があるユーザの顔の「前」の写真と、顧客にＢＯＴＯＸ（登録商標）と軟組織がどこに施術されたかを示す、医療助手によって充填されたターゲット（ゾーン）領域のあるユーザの顔の「前」の写真と、達成された改善を示す補充のあるユーザの顔の「後」の写真である。また、皺査定および美容分析データも見直されて、ユーザの外見における質的改善を査定する。加えて、医師は、ユーザの満足度調査を見直して、処置の結果に対するユーザの満足度を確認する。
【００６８】
ユーザと医師との間での後処置評価の話し合いから、結果として三つの尤もらしいシナリオの一つが得られる。第一のシナリオにおいては、結果はユーザと医師の双方に満足のいくもので、双方に受け入れ可能である（７１０）。ユーザのチャート（６３０）は、望ましい結果を生み出したＢＯＴＯＸ（登録商標）の注射および軟組織充填剤について用いられるプロトコルを示している。このシナリオにおいては、ユーザが次に通院するとき（７２０）、同じまたは同様のアプローチが施される。第二のシナリオにおいては、結果がユーザには満足のいくものであるが、医師にはそうでないものである（７３０）。医師は、ユーザのチャート（６３０）を修正して、次の通院（７４０）のときにユーザに施されるべき処置を変える。第三のシナリオにおいて、結果は医師には満足がいくが、ユーザにはそうでないものである（７３０）。第二のシナリオの場合のように、医師は、ユーザのチャート（６３０）を修正して次の通院（７４０）のときにユーザに施されるべき処置を変える。
【図面の簡単な説明】
【００６９】
【図１】ユーザが接客係と相談をする本発明の実施例を示す。
【図２】発明の観点、すなわち、統合されたコンサルテーションプロセスを示す。
【図３】ユーザが包括的な診断分析を得る発明の実施例を示す。
【図４】回顧的成果アプローチを用いる発明の実施例を示す。
【図５】予想的成果アプローチを用いる発明の実施例を示す。
【図６】美容皮膚科のデリバリーサービスで繰り返しの可能な結果を生み出す処置を用いる発明の実施例を示す。
【図７】美容皮膚科の処置の一貫性および繰り返し性を示す発明の実施例を示す。
【図１】
2007517337.tif 000003
【図２】
2007517337.tif 000004
【図３】
2007517337.tif 000005
【図４】
2007517337.tif 000006
【図５】
2007517337.tif 000007
【図６】
2007517337.tif 000008
【図７】
2007517337.tif 000009
【国際調査報告】
2007517337.tif 000010
2007517337.tif 000011